(57)【特許請求の範囲】
【請求項１】
反射板取付金具（４）を有する器具本体（１）と、前記器具本体（１）の下面側に配置する反射板（２）を備え、前記反射板（２）を前記反射板取付金具（４）に着脱自在に装着する回転係止具（５）を備える蛍光灯器具において、
前記回転係止具（５）は前記反射板取付金具（４）に着脱自在に係合する導電性部品（５−１）と該導電性部品（５−１）の下部を覆う絶縁性部品（５−２）を具備し、前記絶縁性部品（５−２）は断面楕円状の軸部（５−３）と、その下側のつまみ部（５−４）を具備し、前記軸部（５−３）に前記導電性部品（５−１）と一体であって且つ軸回りに露出する一対の接触部（５−５）を設け、
前記反射板（２）に前記軸部（５−３）が貫通する貫通穴（２−１）を設け、一対の前記接触部（５−５）が付属する前記軸部（５−３）と前記貫通穴（２−１）との相対形状を両者の長手方向が直交する状態において、一対の前記接触部（５−５）が前記貫通穴（２−１）の縁に圧接するように定め、前記反射板（２）を前記の貫通穴（２−１）・接触部（５−５）・導電性部品（５−１）・反射板取付金具（４）を介して前記器具本体（１）へ電気的に接続することを特徴とする蛍光灯器具。
【発明の詳細な説明】
【０００１】
【発明の属する技術分野】
本発明は蛍光灯器具における反射板の取付け構造ならびに反射板・器具本体間の電気的接続構造に関するものである。
【０００２】
【従来の技術】
従来は絶縁性部品・化粧ネジ等によって、反射板を器具本体に取付ける。反射板・器具本体の電気的接続は不十分であり、そのために別途の電気的接続手段を必要とする。
【０００３】
【発明が解決しようとする課題】
本発明の目的は、回転係止具を用いる反射板取付け構造において、その取付けの過程で反射板・器具本体間の確かな電気的接続がなされる蛍光灯器具を提供することである。
【０００４】
【課題を解決するための手段】
上記目的を達成するために、回転係止具に導電性部品、絶縁性部品と一対の接触部を有する軸部及び反射板を係止し回転させるつまみ部を一体に形成し、器具本体の反射板取付金具に着脱自在に係合させ、長穴状の貫通穴を有する反射板を前記反射板取付金具に係合させた回転係止具のつまみ部に係合させ前記つまみ部を回転させることにより反射板に設けた長穴状の貫通穴縁部に前記回転係止具の楕円状軸部に設けた一対の接触部が圧接され器具本体と反射板は電気的に接続される。
また、反射板取付金具の回転係止具の導電性部品摺動面には、回転摺動面には、回転摺動時の摩擦力の低減を図るため回転軸と同心円の線接触が得られるような凸部を設け回転操作力の低減を図ることにより、施工性向上の目的は達成される。
器具本体の反射板取付金具に係合された回転係止具は、上部の導電性部品が反射板取付金具の凸部に摺動するとともにその下の絶縁性部品の弾力性によって係止穴に係合されており容易に外れることはない。また、回転係止具の絶縁性部品と反射板取付金具には回転係止具が９０度間隔にクリックできるよう凹部又は凸部等を設けている。
反射板は長穴状の貫通穴に前記回転係止具のつまみ部が貫通され、つまみ部を回転することによって反射板の長穴状貫通穴縁部に前記回転係止具の軸部に設けた一対の接触部が圧接されることによって、反射板と器具本体は回転係止具及び反射板取付金具を介して電気的に確実に接続される。このため、反射板と器具本体を別途の手段で接地させる必要がない。
【０００５】
【発明の実施の形態】
図１〜図５を用いて、本発明の実施形態について説明する。図示の蛍光灯器具は、反射板取付金具４を有する器具本体１を備える。器具本体１の下面側に配置する反射板２を備える。反射板２を反射板取付金具４に着脱自在に装着する回転係止具５を備える。
回転係止具５は反射板取付金具４に着脱自在に係合する導電性部品５−１と導電性部品５−１の下部を覆う絶縁性部品５−２を具備する。絶縁性部品５−２は断面楕円状の軸部５−３と、その下側のつまみ部５−４を具備する。軸部５−３に導電性部品５−１と一体であって且つ軸回りに露出する一対の接触部５−５を設ける。
反射板２に軸部５−３が貫通する貫通穴２−１を設ける。一対の接触部５−５が付属する軸部５−３と貫通穴２−１との相対形状を両者の長手方向が直交する状態において、一対の接触部５−５が貫通穴２−１の縁に圧接するように定める。反射板２を貫通穴２−１・接触部５−５・導電性部品５−１・反射板取付金具４を介して前記器具本体１へ電気的に接続する。
構造説明を補足する。器具本体１の両端下面側に一対のランプソケット３を具備する。ランプソケット３に図外の直管形の蛍光ランプを具備する。蛍光ランプは反射板２および回転係止具５の下側を通る。反射板２は逆樋状の笠形である。回転係止具５の要素は導電性部品５−１・絶縁性部品５−２である。導電性部品５−１の下部は絶縁性部品５−２の中に隠れる。しかし、下部であっても接触部５−５だけは露出する。絶縁性部品５−２の要素は軸部５−３・つまみ部５−４である。軸部５−３には一対の接触部５−５が付属する。部品符号５−２は５−３・５−４の上位概念記号であるが、部品符号５−２の直接の指示箇所は絶縁性部品５−２に属する鍔部であり、その鍔部は反射板２・反射板取付金具４間に介在し、かつ反射板２からの安易な脱落を防止する。貫通穴２−１はつまみ部５−４が適宜の回転位相のときに通過の可能な長穴である。貫通穴２−１・つまみ部５−４の長手方向が直交したときに、貫通穴２−１・接触部５−５間が圧接する配置である。
反射板取付金具４の係止穴４−１は導電性部品５−１（より正確にはその頭部）が適宜の回転位相のときに通過の可能な長穴であり、係止穴４−１の周囲に上向きに凸となる環状突起が形成されている。環状突起は導電性部品５−１を線接触状に支え、かつ導電性部品５−１のスムーズな回動を許容する。絶縁性部品５−２は弾力性を有する合成樹脂にて形成される。その金型による成形時にその中に導電性部品５−１の下部を埋設する。つまみ部５−４を適宜に回転させると、導電性部品５−１頭部は係止穴４−１に係止（係止穴４−１から落下しない状態）する。同時につまみ部５−４は貫通穴２−１に係止（反射板２がつまみ部５−４から落下しない状態）する。また、図示寸法の関係がＣ＜Ａ≦Ｂとなっているために、貫通穴２−１の縁が各接触部５−５に圧接し、電気的な接続がなされる。また、この圧接は回転係止具５の不所望な回り止めを兼ねる。以上により、電気的には反射板２・接触部５−５・導電性部品５−１・反射板取付金具４（その環状突起）・器具本体１の順に繋がり、反射板２・器具本体１間の電気的接続が確保される。なお、かかる電気的接続がなされない場合はアース接続がなされている器具本体１と反射板２とを繋ぐ図外の補助アース線が必要となる。
絶縁性部品５−２の鍔部と貫通穴２−１の寸法関係はＤ＜Ｅとなる。これは貫通穴２−１を絶縁性部品５−２で塞ぎ、貫通穴２−１開口（穴の一部が塞がらない状態）にともなう外観上の不体裁を防止するためである。
【０００６】
【発明の効果】
本発明によれば、貫通穴の縁と各接触部との間の圧接箇所を介して、反射板・器具本体を確実に電気的に接続することができる。また、反射板取付けの過程でこの電気的接続がなされるため、組立て工数の点でも有利であり、安価な蛍光灯器具を提供することができる。
【図面の簡単な説明】
【図１】本発明器具の要部斜視図である。
【図２】図１の範囲の分解斜視図である。
【図３】その回転係止具箇所の正面断面図である。
【図４】その回転係止具側の右側面図である。
【図５】その回転係止具の軸部の拡大断面図である。
【符号の説明】
１：器具本体
２：反射板
２−１：貫通穴
４：反射板取付金具
５：回転係止具
５−１：導電性部品
５−２：絶縁性部品
５−３：軸部
５−４：つまみ部
５−５：接触部
【図１】
0004051761.tif 000002
【図２】
0004051761.tif 000003
【図３】
0004051761.tif 000004
【図４】
0004051761.tif 000005
【図５】
0004051761.tif 000006